(57)【要約】【課題】            カラオケで自分が歌いたい曲およびその入力番号（リクエスト番号）を容易に見つけ出して入力でき、カラオケ店にとっては再来店の誘導原因にもなる個人別カラオケ用ノートを提供する。【解決手段】        カラオケ店（カラオケ提供施設）に備えられる個人別カラオケ用ノートであって、少なくとも表紙と、選曲リスト記入頁とを備え、表紙には氏名の記入欄で代表される個人特定表示部が設けられる。選曲リスト記入欄には、少なくとも選曲した曲名、入力番号（リクエスト番号）、歌手名の記入欄と広告の掲載欄が設けられている。【選択図】          図２
0003106240.tif 000002
【実用新案登録請求の範囲】
【請求項１】
カラオケ提供施設に備えられる個人別カラオケ用ノートであって、少なくとも表紙と、選曲リスト記入頁とを備え、表紙には氏名の記入欄で代表される個人特定表示部が設けられ、選曲リスト記入欄には、少なくとも個人特定表示部に特定した個人が選曲した曲名、リクエスト番号、歌手名の記入欄と広告掲載欄が設けられていることを特徴とする個人別カラオケ用ノート。
【請求項２】
前記表紙の個人特定表示部は、氏名記入欄の他に、会員番号、生年月日、出身地の記入欄、写真の貼付欄から選択される１つ以上が設けられていることを特徴とする請求項１記載の個人別カラオケ用ノート。
【請求項３】
前記選曲リスト記入頁は、ソロ曲選曲リスト記入頁およびデュエット曲選曲リスト記入頁とで構成されていることを特徴とする請求項１または２記載の個人別カラオケ用ノート。
【請求項４】
前記表紙の裏面に、楽譜の収納部が設けられていることを特徴とする請求項１乃至３のいずれかに記載の個人別カラオケ用ノート。
【考案の詳細な説明】
【技術分野】
【０００１】
この考案は、カラオケルーム等においてカラオケを利用するとき、カラオケリクエスト曲（歌いたい曲）を速やかに選定可能とする個人別カラオケ用ノートに関する。
【背景技術】
【０００２】
従来、カラオケルーム等のカラオケ提供施設等においては、多数の曲名、選曲番号（入力番号、リクエスト番号ともいう）が記載されたカラオケ本が用意され、客はこのカラオケ本の中から所望の曲を選定し、専用のリモコンに選曲番号を入力、転送し曲出しをして歌っている。
しかしながら、リクエスト番号（以下、入力番号という）を記載してあるカラオケ本は、曲名別、歌手別等で通常１万曲以上収録されており、多数の曲の中から歌いたい曲の入力番号を、その都度、本で探すので時間がかかり大変であり、所定時間でカラオケで歌う曲数も少なくなり、カラオケ提供施設にとっては売り上げが上がらない、という課題がある。また、客はリクエスト曲を探すのに一生懸命になり、客同士の会話が少なくなったり、リクエスト曲を探すことができずリクエストを止めてしまうこともある。
【０００３】
そこで、従来、このような課題を解決するものとして次のようなものが提案されている。
（１）紙片に縦線、横線の罫線を入れ欄を作り、上端部に歌手名、曲名、カラオケ機種名、リクエスト番号、キーコントロール、備考の見出しを付け、その下部欄を個人が記入できるように、白紙としたカラオケ用メモ表（例えば、特許文献１参照）。
（２）中紙部分に、お客様の名前記入欄、曲名記入欄、リクエスト番号記入欄を設け、併せて、左右いずれかの側縁部分にお客様の名前を素早く引き出せるように、見出し用突片を設けた、お客様のカラオケリクエスト曲を整理記帳しておく手帳（例えば、特許文献２参照）。
（３）カラオケ用早見表の各頁には、各曲毎に領域・・・がレイアウトされている。各領域には、当該曲のＣＤジャケットの写真が表示されている部分と、当該曲を選択するための選曲番号が各カラオケメーカ毎に併記されている部分と、当該曲の曲名が表示されている部分と、当該曲の歌手名が表示されている部分と、当該曲の歌詞が表示されている部分とがレイアウトされているカラオケ用早見表（例えば、特許文献３参照）。
【特許文献１】実用新案登録第３０５４１８４号公報（請求項１、図１）。
【特許文献２】実用新案登録第３０８４９０１号公報（請求項１、図２）。
【特許文献３】特開平１１−２９６１８０号公報（請求項１、００１０、図１）。
【考案の開示】
【考案が解決しようとする課題】
【０００４】
前記のような従来例によれば、カラオケで自分が歌いたい曲を探す時、多数収録されているリクエスト本から探す手間と時間を短縮できるので好ましいものである。
しかし、特許文献１のようなカラオケ用メモ表は、カラオケに際し常に携帯していなければ使用できず、万一、忘れたような時は用をなさない。また、どのカラオケ提供施設（以下、カラオケ店という）にも持参して使用できる反面、カラオケ店側にとっては自分の店に再び来店してもらう誘導原因には使用できない。
また、特許文献２のような手帳は、飲食店でカラオケのリクエストに対応する場合には適しているが、全ての客をリストするものであるため、個人が自分の歌いたい曲を探すのに用いるのには不向きである。
さらに、特許文献３のようなカラオケ用早見表は、当該曲のＣＤジャケットの写真の表示および当該曲の歌詞等を表示するので、個人が個人的に作成するのは容易ではない。
この考案は、このような点に鑑み、前記課題を解決した個人別カラオケ用ノートであって、カラオケで自分が歌いたい曲を容易に見つけ出して入力番号を入力できると共に、カラオケ店にとっては再来店の誘導原因にもなる個人別カラオケ用ノートを提供せんとするものである。
【課題を解決するための手段】
【０００５】
前記課題を解決するため、この考案の個人別カラオケ用ノートは、カラオケ店（カラオケ提供施設）に備えられる個人別カラオケ用ノートであって、少なくとも表紙と、選曲リスト記入頁とを備え、表紙には氏名の記入欄で代表される個人特定表示部が設けられ、選曲リスト記入欄には、少なくとも個人特定表示部に特定した個人が選曲した曲名、入力番号（リクエスト番号）、歌手名の記入欄と広告掲載欄が設けられていることを特徴とする。
これにより自己の好み等によってカラオケで歌いたい曲を選んだ限定曲だけを、選曲リスト記入頁に、曲名、リクエスト番号（入力番号）、歌手名をもって記入することができる。カラオケ店では、この記入された個人別カラオケ用ノートを常備しておくことで、来店した客は、自分のカラオケ用ノートを取り出して使用することが可能となり、よって歌いたい曲をそのリクエスト番号と共にすぐに見つけ出して、速やかに入力することができる。この個人別カラオケ用ノートの表紙の個人特定表示部には、氏名、会員番号などが記入されたり、写真が貼付されているので、来店した客は自分のカラオケ用ノートをすぐに見つけ出すことができる。そこでカラオケ店では、検索しやすいように整理して備えることが好ましい。
従って、この考案によれば、選曲が簡単、迅速に行えるので、短時間に多数のカラオケを歌うことができ、カラオケ店にとっては売り上げが上がるし、客にとっては自分の歌いたい曲を速やかに選択できると共に、曲を探す時間がなくなるので出席者同士の会話がより持てるようになる。
また、この考案の個人別カラオケ用ノートには、広告の掲載欄が設けられているので、ここに広告を掲載することが可能となり、カラオケ店では広告収入を上げることもできる。
また、客は、自分のカラオケ用ノートが備えられていることで、他のカラオケ店には行かずそのカラオケ店に通うことになり客の誘導原因にもなる。
この考案の選曲リスト記入頁は、ソロ曲選曲リスト記入頁とデュエット曲選曲リスト記入頁とで構成されてもよい。これによりデュエットする時の選曲がより容易となる。
【０００６】
また、この考案の個人別カラオケ用ノートの表紙の個人特定表示部には、会員番号、生年月日、出身地の記入欄、写真の貼付欄等が設けられている。
これにより自分のカラオケ用ノートをより容易に見つけ出すことができる。また、曲を探す時間が無くなるので出席者同士の会話がより持てるようになるが、この時、生年月日や出身地の記入欄に記入されていると、これが出席者の目に止まり会話のネタとなり、会話がはずむことにもなる。
【０００７】
さらに、この考案の個人別カラオケ用ノートは、前記表紙の裏面に、楽譜の収納部が設けられていることを特徴とする。
これにより、この収納部に楽譜を収納しておくことができるので、カラオケで歌うとき使用できる。ここで楽譜とは、譜面だけでなく、譜面と歌詞のものを含む。
【考案の効果】
【０００８】
この考案の個人別カラオケ用ノートによれば、次のような効果を奏する。
（１）選曲が簡単、迅速に行える。
（２）短時間に多数のカラオケを歌うことができる。
（３）客は、自分の歌いたい曲を速やかに選択できるので、曲を探す時間がなくなり出席者同士の会話がより持てるようになる。
（４）この時、このカラオケ用ノートの表紙には、生年月日や出身地の記入欄があり、その記入が出席者の目に止まり会話のネタとなり、会話がよりはずむようになる。
【０００９】
（５）短時間に多数のカラオケを歌うことができるので、カラオケ店は売り上げを上げることができる。加えて、広告の掲載欄が設けられているので、ここに広告を掲載することが可能となり、カラオケ店は広告収入を上げることもできる。
（６）客は、自分のカラオケ用ノートが備えられていることで、他のカラオケ店には行かず、そのカラオケ店に通うことになり客の誘導原因にもなるので、客の確保に貢献できる。
（７）個人別カラオケ用ノートの表紙の裏面には、楽譜の収納部が設けられているので、この収納部に楽譜を収納しておくことができ、カラオケで歌うときに使用できる。
【考案を実施するための最良の形態】
【００１０】
以下、この考案の実施の形態を図面と共に詳細に説明する。図１はこの考案の実施の形態を示す個人別カラオケ用ノートの斜視図、図２は個人別カラオケ用ノートの選曲リスト記入頁を示す正面図、図３は個人別カラオケ用ノートのデュエット曲選曲リスト記入頁を示す正面図、図４は図１に示す個人別カラオケ用ノートの表紙を開いた状態の斜視図である。
【００１１】
この個人別カラオケ用ノート１は、カラオケ店（カラオケ提供施設）に常備されて使用されるもので、表紙２と選曲リスト記入頁３とで構成されている。
表紙２には個人特定表示部４が設けられている。この個人特定表示部４は、この個人別カラオケ用ノート１の使用者を特定するための表示部であり、少なくとも氏名記入欄５で構成される。この実施の形態においては、氏名記入欄５の他に、会員番号の記入欄６、生
年月日の記入欄７、出身地の記入欄８および写真の貼付欄９が設けられている場合を示している。
【００１２】
会員番号の記入欄６は、カラオケ店の会員番号を記入する欄であり、会員番号がある場合に記入すればよく、ない場合は記入しなくてもよい。また、生年月日および出身地の記入欄７、８への記入も任意である。しかし、記入しておくと、カラオケの同席者などの目に止まり、生年月日が同じだったり近かったりすることで、また、出身地が同じだったりすることで会話が盛り上がることがある。
また、写真の貼付欄９への写真の貼付も任意であるが、貼付してあるとカラオケ用ノートの使用者が誰であるかの特定が容易にできるし、第３者も誰のものか容易に識別できるので好ましい。
なお、この表紙２の記載事項は、任意であり特に制限はないが、使用者を特定するために最低氏名記入欄５は必要である。
【００１３】
選曲リスト記入頁３は、歌いたい曲を選んだ限定曲をリストアップして記入しておき、歌いたい曲をその入力番号（リクエスト番号）と共にすぐに見つけ出して、速やかに入力することができるようにする頁である。従って、選曲リスト記入頁３には、少なくとも曲名の記入欄１０と入力番号記入欄１１は必要となる。本例では、曲名の記入欄１０、その入力番号記入欄１１、、その歌手名の記入欄１２およびキーの記入欄１３が設けられていると共に、広告の掲載欄１４が設けられている場合を示している。
曲名の記入欄１０には、検索を容易とするため図２に示すようにあいうえお順に記載するようにする。歌手名の記入欄１２は、必ずしも必要ではないが、同じ曲名でも歌手によって曲が異なることがあるので、歌手名の記入欄１２もあった方が好ましい。また、キーの記入欄１３は、知っている場合だけ記入しておけば役に立つ。カラオケに行ってキー設定を変えて歌ってみて、上手く歌えたキー設定を記入するようにしてもよい。
このような曲名、入力番号（リクエスト番号）、歌手名、キーの記入欄１０、１１、１２、１３及び広告の掲載欄１４を設けるレイアウトは、任意であるが、曲名の記入欄１０、入力番号記入欄１１、歌手名の記入欄１２およびキーの記入欄１３などは、罫線によって区分して判り易くするのが好ましい。
【００１４】
また、広告の掲載欄１４は、広告を掲載する欄であるので、目に付き易い場所が好ましい。図２では中央に広告の掲載欄１４を設けている。これによって広告収入を見込むことができる。掲載する広告としては自由であるが、例えば、カラオケ店付近の飲食店を掲載することで、カラオケ終了後の飲食の誘因になる。
【００１５】
選曲リスト記入頁３は、ソロ曲選曲リスト記入頁とデュエット曲選曲リスト記入頁とで構成してもよい。例えば、図２に示すようなソロ曲選曲リスト記入欄頁３ａと図３に示すようなデュエット曲選曲リスト記入欄３ｂとで構成する。
図３はデュエット曲選曲リスト記入頁を示す正面図であり、デュエット曲の表示１５がある。曲名の記入欄１０、入力番号（リクエスト番号）の記入欄１１、歌手名の記入欄１２、キーの記入欄１３および広告の掲載欄１４が設けられているのは、図２と同様である。同一構成要素には同一符号を付して詳細な説明は省略する。本例の広告の掲載欄１４は、頁の上段に位置して設けられている。
【００１６】
図４は個人別カラオケ用ノート１の表紙２を開いた状態の斜視図である。この実施の形態の個人別カラオケ用ノート１には、同図に示すように表紙２の裏面に楽譜１７の収納部１６が設けられている。この収納部１６の形態は任意であって特に制限はなく、楽譜１７が収納できるような構成であればよい。この実施の形態では袋状の収納部を示している。これにより図４に示すように楽譜１７を収納しておくことができ、カラオケの際に使用することができて便利である。この楽譜１７としては、譜面だけのもの、譜面と歌詞が掲っているもの、歌詞だけのもの、を含む。
【００１７】
しかして、個人別カラオケ用ノート１には、カラオケで歌いたい曲を選んだ限定曲だけを、選曲リスト記入頁３のそれぞれの記入欄１０、１１、１２に曲名、入力番号（リクエスト番号）、歌手名をもって記入することができる。従って、カラオケ店では、この記入された個人別カラオケ用ノート１を常備しておくことで、来店した客は、自分のものを使用することが可能となり、よって歌いたい曲をその入力番号（リクエスト番号）と共にすぐに見つけ出して、速やかに入力することができる。
この個人別カラオケ用ノート１の表紙２の個人特定表示部４には、少なくとも氏名記入欄５に氏名が記入されているので、来店した客は自分のカラオケ用ノート１をすぐに見つけ出すことができる。カラオケ店が保管している場合でもすぐに検索できる。この検索は、会員番号が記載されたり、写真が貼付されていると一層容易となる。これらの点からカラオケ店では検索しやすいように整理して備えることが好ましい。
【００１８】
このように個人別カラオケ用ノート１によれば、選曲が簡単、迅速に行えるので、短時間に多数のカラオケを歌うことができ、カラオケ店にとっては売り上げが上がるし、客にとっては自分の歌いたい曲を速やかに選択できると共に、曲を探す時間がなくなるので出席者同士の会話がより持てるようになる。
また、個人別カラオケ用ノート１には、広告の掲載欄１４が設けられているので、ここに広告を掲載することが可能となり、カラオケ店では広告収入を上げることもできる。
また、客は、自分のカラオケ用ノート１が備えられていることで、他のカラオケ店には行かずそのカラオケ店に通うことになり客の誘導原因にもなるので、客の確保にも役立つ。
【００１９】
さらに、個人別カラオケ用ノート１の表紙２の個人特定表示部４には、会員番号、生年月日、出身地の記入欄６、７、８、写真の貼付欄９、等が設けられているので、自分のカラオケ用ノートをより容易に見つけ出すことができる。また、曲を探す時間が無くなるので出席者同士の会話がより持てるようになるが、この時、生年月日や出身地の記入欄７、８に記入されていると、これが出席者の目に止まり会話のネタとなり、会話がはずむことにもなる。
【００２０】
なお、前記実施の形態は、この考案を制限するものではなく、この考案は要旨を逸脱しない範囲において種々の変形が許容される。例えば、実施の形態を示す図面においては、個人別カラオケ用ノート１は、方形として示しているが、これに制限されるものではなく、卵形やハート型などの種々の形状のものを採用し得る。
【図面の簡単な説明】
【００２１】
【図１】この考案の実施の形態を示す個人別カラオケ用ノートの斜視図である。
【図２】個人別カラオケ用ノートの選曲リスト記入頁を示す正面図である。
【図３】個人別カラオケ用ノートのデュエット曲選曲リスト記入頁を示す正面図である。
【図４】図１に示す個人別カラオケ用ノートの表紙を開いた状態の斜視図である。
【符号の説明】
【００２２】
１  個人別カラオケ用ノート
２  表紙
３  選曲リスト記入頁
３ａ  ソロ曲選曲リスト記入頁
３ｂ  デュエット曲選曲リスト記入頁
４  個人特定表示部
５  氏名記入欄
６  会員番号の記入欄
７  生年月日の記入欄
８  出身地の記入欄
９  写真の貼付欄
１０  曲名の記入欄
１１  入力番号（リクエスト番号）記入欄
１２  歌手名の記入欄
１４  広告の掲載欄
【図１】
0003106240.tif 000003
【図２】
0003106240.tif 000004
【図３】
0003106240.tif 000005
【図４】
0003106240.tif 000006